(57)【要約】【課題】折り畳み形形態無線通信装置の実装効率を高めるため、上下筐体にそれぞれ設けた主基板の他にサブ基板を設ける場合に、これと各主基板との間を、コネクタの点数や端子数を増やさず特殊なコネクタを用いないようにして接続する。【解決手段】ＦＰＣ６の一端は、下向きに取り付けたプラグ側コネクタ１０を下側主基板４上に設けた座側コネクタ９に篏合させることにより、下側主基板４に接続され、ＦＰＣ６の図示しない他端も同様にして上側主基板に接続される。また、ＦＰＣ６の耳の部分１１を上方に折り曲げて、サブ基板７上に設けた座側コネクタ１２に篏合させ、上下主基板とサブ基板７の間をＦＰＣ６のみによって接続する。【選択図】  図２
2004253523.tif 000002
【特許請求の範囲】
【請求項１】
第１の基板を内蔵した第１の筐体と、第２の基板を内蔵した第２の筐体とが、ヒンジ部を介して折り畳み可能に連結されてなる本体と、
前記ヒンジ部を通して設けられ、前記第１の基板と前記第２の基板との間を接続する接続部材と、
前記接続部材を介して前記第１の基板若しくは前記第２の基板又はその両方と接続された機能ブロックとを
備えたことを特徴とする携帯無線通信装置。
【請求項２】
前記機能ブロックは、前記第１の基板又は前記第２の基板に実装されている電気部品以外の電気部品が基板上に実装されてなることを特徴とする請求項１に記載の携帯無線通信装置。
【請求項３】
前記機能ブロックは、前記第１の基板又は前記第２の基板に重なるように配設されることを特徴とする請求項１又は請求項２に記載の携帯無線通信装置。
【請求項４】
前記第１の基板、前記第２の基板及び前記機能ブロックのすべてに共通接続される電源、接地又は信号ラインは、前記接続部材に形成された接続パターンにより共通に接続されることを特徴とする請求項１乃至請求項３のいずれか１項に記載の携帯無線通信装置。
【請求項５】
前記機能ブロックは、前記接続部材上に実装されたことを特徴とする請求項１に記載の携帯無線通信装置。
【請求項６】
第１の筐体及び第２の筐体がヒンジ部を介して折り畳み可能に連結された携帯無線通信装置に用いられる接続部材であって、
前記ヒンジ部を介して、前記第１の筐体に内蔵された第１の基板と前記第２の筐体に内蔵された第２の基板との間を接続する第１の接続部と、
前記第１の接続部から分岐し、先端に機能ブロックが接続される第２の接続部とを有し、
前記第１の接続部及び第２の接続部を用いて、前記第１の基板若しくは前記第２の基板又はその両方と前記機能ブロックとを接続するように構成したことを特徴とする接続部材。
【請求項７】
前記第１の基板、前記第２の基板及び前記機能ブロックのすべてに共通接続される電源、接地又は信号ラインは、前記第１の接続部及び第２の接続部に形成された接続パターンにより共通に接続されることを特徴とする請求項６に記載の接続部材。
【請求項８】
前記機能ブロックが前記第２の接続部上に実装されたことを特徴とする請求項６に記載の接続部材。
【発明の詳細な説明】
【０００１】
【発明の属する技術分野】
本発明は携帯無線通信装置及び接続部材に係り、特に２筐体がヒンジ部を介して折り畳み可能に連結された携帯無線通信装置（以下、折り畳み形携帯無線通信装置という。）及び２筐体間の接続に用いられる接続部材に関する。
【０００２】
【従来の技術】
携帯無線通信装置は、多機能化が進んだ結果、ますます高い実装密度を実現することを迫られている。このため、筐体構成として主流となっている折り畳み形携帯無線通信装置の場合、上下各筐体にそれぞれ主たる基板（以下、それぞれの基板を上側主基板、下側主基板という。）を設けて構成部品を実装するのに加え、追加の基板（以下、サブ基板という。）を設けて、上側主基板及び下側主基板に収まりきれない構成部品を実装する形態がよく用いられる。この場合、上側主基板及び下側主基板の間は、ヒンジ部を通して設けられたフレキシブル基板（以下、ＦＰＣという。）によって接続され、各主基板にはそのためのコネクタが設けられる。
【０００３】
一方、サブ基板と上側主基板及び下側主基板との間の接続には、それぞれ専用のコネクタ及びケーブル（又はＦＰＣ）を設けて接続する、又は、１つのプラグからハーネスが二股に分岐した形のケーブルを用いて接続する、又は、重畳して接続できるいわゆるピギーバック形のコネクタを用いて接続する等の方法がある。しかし、これらの方法には、コネクタの数が増えて各基板の有効実装面積が減少したり、複雑な構造のコネクタが必要になったりするという問題がある。
【０００４】
そこで、これらに代わるサブ基板と主基板間の接続方法として、上側主基板及び下側主基板間の接続用のＦＰＣを利用する方法が考えられる。このためには、接続先が分岐し、３つ以上のコネクタを有するＦＰＣを用いる必要があるが、このような分岐形のＦＰＣを用いるという発明は、これまでに別の観点、目的からなされている（例えば、特許文献１参照。）。
【０００５】
この特許文献１に開示された発明は、ＦＰＣの一方の筐体側を幅広く分岐させることにより、ＦＰＣを左右対称に構成されたヒンジ部内で一回巻きにして通し、２筐体の開閉に伴ってＦＰＣに与える機械的ストレスを緩和させるというものである。
【０００６】
【特許文献１】
特開２００１−２６７６９６号公報（第２、３ページ、図１）
【０００７】
【発明が解決しようとする課題】
ＦＰＣを分岐してサブ基板にも接続できるようにすれば、余分な数のコネクタや複雑な形状のコネクタを用いる必要がなくなり、実装形式をシンプルにして、信頼性を向上させることが期待できる。上記の特許文献１に開示された発明は、ＦＰＣをヒンジ部内で一回巻きすることができるように大きく開いて分岐しなければならず、主基板とサブ基板とが重なるような形で実装される場合もあることを考慮すると、上記の課題の解決には適さない。
【０００８】
そこで、本発明は、主基板間接続用のＦＰＣ等の接続部材をサブ基板の接続用にも用いることにより、シンプルな実装及び接続を可能とする折り畳み形携帯無線通信装置及び当該接続部材を提供することを目的とする。
【０００９】
【課題を解決するための手段】
上記の目的を達成するために、本発明の携帯無線通信装置は、第１の基板を内蔵した第１の筐体と、第２の基板を内蔵した第２の筐体とが、ヒンジ部を介して折り畳み可能に連結されてなる本体と、前記ヒンジ部を通して設けられ、前記第１の基板と前記第２の基板との間を接続する接続部材と、前記接続部材を介して前記第１の基板若しくは前記第２の基板又はその両方と接続された機能ブロックとを備えたことを特徴とする。
【００１０】
本発明によれば、折り畳み形携帯無線通信装置の各基板間をシンプルな形状で最小限の数のコネクタを用いて接続することにより、各基板の有効実装面積を確保することができる。
【００１１】
【発明の実施の形態】
（第１の実施の形態）
以下に、本発明の第１の実施の形態を、図１乃至図４を参照して説明する。図１は、本発明の第１の実施の形態に係る携帯無線通信装置の筐体の側面図である。この図において、上筐体１に内蔵された上側主基板２と、下筐体３に内蔵された下側主基板４とが、ヒンジ部５を通して設けられたＦＰＣ６によって接続されている。また、下筐体３には、上側主基板２及び下側主基板４に収まりきれない構成部品を実装するためのサブ基板７が設けられており、これにＦＰＣ６を分岐し折り返す形にして接続し、上側主基板２及び下側主基板４との間を電気的に接続するようにしている。なお、８はアンテナである。
【００１２】
図２は、本発明の第１の実施の形態に係る携帯無線通信装置の下側主基板４及びサブ基板７間の接続を説明する図である。下側主基板４に設けられた座側コネクタ９に、ＦＰＣ６の下側に取り付けられたプラグ側コネクタ１０を篏合させることにより、下側主基板４とＦＰＣ６とが接続され、ＦＰＣ６の図示しない他端は同じ構成によって上側主基板２に接続される。
【００１３】
一方、ＦＰＣ６に右側に形成された分岐部１１は、上方へ向けて折り曲げられ、その先端をサブ基板７に取り付けられた座側コネクタ１２に篏合させることにより、サブ基板７がＦＰＣ６に接続される。
【００１４】
図３は、本発明の第１の実施の形態に係る接続部材であるＦＰＣ６の展開図である。ＦＰＣ６の図面下側の部分は、下側主基板４の座側コネクタ９と篏合するプラグ側コネクタ１０の右側に、分岐部１１が飛び出す形で形成されており、この分岐部１１の先端（図の右端）はサブ基板７の座側コネクタ１２と篏合する。この場合、下側主基板４との接続と同様に、分岐部１１の先端にプラグ側コネクタを取り付けてもよいし、狭隘な実装スペースに適合するようにプラグ側コネクタを取り付けないで、いわゆるＦＰＣコネクタとして用いてもよい。
【００１５】
また、ＦＰＣ６の図面上側の部分には、上側主基板２の座側コネクタ（図示せず）と接続するためのプラグ側コネクタ１３が取り付けられる。このようにして、上側主基板２、下側主基板４及びサブ基板７がすべてＦＰＣ６のみによって相互に接続されるので、１つの基板から見ると２つの接続先（基板）に対して、それぞれコネクタを設けたり、ハーネスの分岐やピギーバック形等の特殊なコネクタを用いたりする必要がない。
【００１６】
図４は、上側主基板２、下側主基板４及びサブ基板７間で共有する電気的ライン（例えば、電源、接地、クロック信号等のラインである。以下、共通ラインという。）の接続に使用するＦＰＣ６上のパターンの形状を説明する図である。
【００１７】
この図では、上側主基板２に接続するプラグ側コネクタ１３と下側主基板４に接続するプラグ側コネクタ１０との間に設けられた接地ライン用のパターン１４が、分岐点１５において分岐し、分岐部１１を通ってサブ基板７との接続端まで配線されている。このように、ＦＰＣ６上で共通ライン用のパターンを分岐することにより、プラグ側コネクタ１０又はプラグ側コネクタ１３において同じラインに余分なコネクタ端子を割り当てる必要がなくなるので、サブ基板７を接続する場合でもコネクタの端子数を増やさず、コネクタのサイズを大きくしないでも済ますことができる。
【００１８】
本発明の第１の実施の形態によれば、折り畳み形携帯無線通信装置の上下筐体の主基板の他にサブ基板を設けても、主基板に取り付けるコネクタの数や端子数を増すことなく、各基板間をシンプルに接続することができる。
【００１９】
（第２の実施の形態）
以下に、本発明の第２の実施の形態を、図５を参照して説明する。図５は、本発明の第２の実施の形態に係る接続部材であるＦＰＣ１６の展開図である。ＦＰＣ１６の第１の実施の形態におけるＦＰＣ６との形状、構成上の違いは、分岐部１７の先端部分を拡大して、第１の実施の形態においてはサブ基板７に実装された部分に相当する機能ブロックを実装する部分１８を設けた点である。その他の部分の形状、構成は、ＦＰＣ６と同じであり、プラグ側コネクタ１０、１３についても同様であるので、同じ符号を用いて示している。ＦＰＣ１６をこのように構成することにより、サブ基板（図２のサブ基板７）を設ける必要がなくなり、コネクタなどの部品点数をさらに減らすことが出来るので、信頼性が向上するという利点がある。
【００２０】
本発明の第２の実施の形態によれば、サブ基板を設けないで済むことにより、さらに実装効率や信頼性を高めることができる。
【００２１】
【発明の効果】
本発明によれば、折り畳み形携帯無線通信装置の高い実装密度とシンプルな基板間接続の形態を両立させて、実装効率と信頼性を向上させることができる。
【図面の簡単な説明】
【図１】本発明の第１の実施の形態に係る携帯無線通信装置の筐体の側面図。
【図２】本発明の第１の実施の形態に係る携帯無線通信装置の下筐体内部の基板間接続を説明する図。
【図３】本発明の第１の実施の形態に係る接続部材の展開図。
【図４】本発明の第１の実施の形態に係る接続部材上の共通ライン用パターンの形状を説明する図。
【図５】本発明の第２の実施の形態に係る接続部材の展開図。
【符号の説明】
１  上筐体
２  上側主基板
３  下筐体
４  下側主基板
５  ヒンジ部
６、１６  ＦＰＣ
７  サブ基板
８  アンテナ
９、１２  座側コネクタ
１０、１３  プラグ側コネクタ
１１、１７  ＦＰＣの分岐部
１４  接地ライン用のパターン
１５  分岐点
１８  機能ブロックを実装する部分
【図１】
2004253523.tif 000003
【図２】
2004253523.tif 000004
【図３】
2004253523.tif 000005
【図４】
2004253523.tif 000006
【図５】
2004253523.tif 000007